(57)【特許請求の範囲】
【請求項１】
時刻表示手段を有し、外径方向に導通用の弾性部材が突出するムーブメントの外周部を
保持するとともに、このムーブメントとともに金属製のケースの所定位置に収納される中
枠であって、
前記ムーブメントおよび当該中枠を前記ケースから取り外した状態において、前記弾性
部材の先端部が、前記ケースの内径寸法よりも所定寸法だけ径方向側に突出する状態に、
前記弾性部材の突出方向を規制する弾性部材規制部を備える
ことを特徴とした中枠。
【請求項２】
請求項１に記載の中枠において、
前記弾性部材規制部は、弾性部材の前記ムーブメント側に当接して、前記ムーブメント
の外周縁の接線方向に対して所定の角度で傾斜する状態に押し出す突出部である
ことを特徴とした中枠。
【請求項３】
請求項２に記載の中枠であって、
前記突出部には、当該中枠を前記ムーブメントに装着する際に、前記弾性部材を前記突
出方向側に押し出すテーパ面が形成された
ことを特徴とした中枠。
【請求項４】
金属製のケースと、
このケースの内部に収納されるとともに、時刻を表示する時刻表示手段を有するムーブ
メントと、
このムーブメントの外周部から外径方向に突出する導通用の弾性部材と、
前記ムーブメントの外周部を保持するとともに、前記ムーブメントとともに前記ケース
の内部に収納される中枠と、を備えた時計であって、
前記中枠は、前記ムーブメントを前記ケース内部に収納する際に、前記弾性部材が所定
撓み量で撓む状態に、前記弾性部材の突出方向を規制する弾性部材規制部を備える
ことを特徴とした時計。
【請求項５】
請求項４に記載の時計であって、
前記ケースは、略筒状に形成され、
前記ムーブメントは、前記弾性部材を前記ケースの筒中心軸側に撓ませた状態で、前記
ケースの筒内部に収納され、
前記弾性部材の先端部は、先端側から基端側に向かって、前記ムーブメントを前記ケー
スに収納する方向に傾斜するテーパ状に形成された
ことを特徴とした時計。
【発明の詳細な説明】
【技術分野】
【０００１】
本発明は、時計のムーブメントを保持する中枠、およびこの中枠を備える時計に関する
。
【背景技術】
【０００２】
従来、筒状のケースの筒内部に、時刻表示手段を備えるムーブメントを収納する時計が
知られている（例えば、特許文献１参照）。
この特許文献１に記載のものは、外装ケース内部に、電池から提供される電力により各
指針が駆動されるムーブメントと収納する電子駆動式の時計である。
【０００３】
ところで、上記特許文献１に記載のような時計では、ムーブメントに例えば静電気など
による電荷が帯電すると、電子制御部品などに悪影響を及ぼすおそれがある。このため、
一般に、ムーブメントの一部に外径側に突出する導通ばねを設け、この導通ばねにより、
外装ケースとムーブメントとの間を導通する構成が採られている。
【０００４】
【特許文献１】特開平０５−５２９７０号公報
【発明の開示】
【発明が解決しようとする課題】
【０００５】
しかしながら、導通バネが突出するムーブメントを外装ケースに収納する際、外装ケー
スの内径寸法により、導通ばねの撓み量が異なる。これにより、例えば外装ケースの内径
寸法が小さい場合では、導通ばねをより多く撓ませる必要があるため、ムーブメントを外
装ケースに収納する際に、大きな力が必要となり、組立作業が煩雑になるという問題があ
る。また、外装ケースの内径寸法が大きすぎる場合では、導通ばねの外装ケースに対する
接触圧が小さくなり、仮に接地していたとしても、電気的導通に必要な接触圧が確保でき
ず、非導通となる問題がある。さらに、例えば衝撃などにより導通ばねが外装ケースから
離れるおそれがあり、この場合、ムーブメントの接地ができなくなるという問題がある。
【０００６】
本発明は、上記のような問題に鑑みて、ムーブメントのケースへの収納を容易にする中
枠、およびこの中枠を備えた時計を提供することを目的とする。
【課題を解決するための手段】
【０００７】
本発明の中枠は、時刻表示手段を有し、外径方向に導通用の弾性部材が突出するムーブ
メントの外周部を保持するとともに、このムーブメントとともに金属製のケースの所定位
置に収納される中枠であって、前記ムーブメントおよび当該中枠を前記ケースから取り外
した状態において、前記弾性部材の先端部が、前記ケースの内径寸法よりも所定寸法だけ
径方向側に突出する状態に、前記弾性部材の突出方向を規制する弾性部材規制部を備える
ことを特徴とする。
【０００８】
この発明によれば、中枠の弾性部材規制部により、ムーブメントをケースから取り外し
た状態で、弾性部材の先端部がケース内径よりも所定寸法だけ突出する状態に規制される
。すなわち、弾性部材規制部は、ムーブメントをケースに収納する際に、ムーブメントに
固定される弾性部材の撓み量が所定量となるように位置決めする。例えば、内径が小さい
ケースを備えた時計では、中枠は、このケースの内径よりも所定量だけ外径側に突出する
状態に弾性部材を位置決めする。
これにより、ムーブメントをケースに装着する際に、弾性部材の撓み量を前記所定量に
設定することができ、ムーブメントのケースへの装着が容易になる。
すなわち、例えば内径の大きいケースに対応して弾性部材の突出角度が設定されたムー
ブメントを内径の小さいケースに収納する場合、ムーブメントの収納時に弾性部材をより
多く撓ませる必要がある。これに対して、本発明では、中枠は、弾性部材規制部により、
弾性部材をムーブメント側に押圧して、ケース側への突出寸法が予め設定される所定値と
なるように位置決めする。ここで、中枠は、ムーブメントのケースへの収納時に、弾性部
材の撓み量が、当該中枠が設けられない場合に比べて、より小さい所定撓み量となるよう
に、当該弾性部材を位置決めする。これにより、弾性部材をこの所定撓み量だけ撓ませる
だけで、容易にムーブメントをケース内に収納させることができ、ムーブメントをケース
内に収納する組立作業を容易に実施することができる。
一方、例えば内径が小さいケースに対して弾性部材の突出角度が設定されたムーブメン
トを用いる場合、中枠は、弾性部材規制部により、弾性部材を通常時よりも外径側に押圧
して位置決めする。ここで、中枠は、ムーブメントのケースへの収納時に、弾性部材の撓
み量が所定撓み量となるように、当該弾性部材を位置決めする。これにより、弾性部材を
この所定撓み量だけ撓ませるだけで、容易にムーブメントをケース内に収納させることが
でき、組立作業性が向上する。
したがって、ムーブメントを装着するケースの内径に応じて適切な中枠と選択すること
で、ケースの内径に関係なく、弾性部材の撓み量を一定にすることができ、略同一応力で
弾性部材を撓ませるだけで、容易にムーブメントをケースに装着することができる。また
、１つの弾性部材で内径寸法が異なるケースに対応することができ、部品の共通化が可能
となり、製品のコストダウンを図ることができる。
【０００９】
また、本発明の中枠では、前記弾性部材規制部は、弾性部材の前記ムーブメント側に当
接して、前記ムーブメントの外周縁の接線方向に対して所定の角度で傾斜する状態に押し
出す突出部であることが好ましい。
このような突出部であれば、例えば中枠を射出成形により形成したり、中枠の一部を加
工したりするだけで容易に形成することができる。また、この突出部のケースに対する角
度や、形成される位置を調整することにより、容易にケース内径に対して適切な位置に弾
性部材を位置決めする構成が得られる。
【００１０】
さらに、本発明の中枠では、前記突出部には、当該中枠を前記ムーブメントに装着する
際に、前記弾性部材を前記突出方向側に押し出すテーパ面が形成されることが好ましい。
ここで、このテーパ面の傾斜方向としては、例えば突出部により弾性部材を径外方向に
押し出して位置決めする場合、突出部の先端部に向かうに従って、ムーブメントの外径側
から内径側に傾斜するテーパ面を形成すればよく、例えば突出部により弾性部材を径内方
向に押し出して位置決めする場合、突出部の先端部に向かうに従って、ムーブメントの内
径側から外径側に傾斜するテーパ面を形成すればよい。
この発明によれば、ムーブメントに固定される弾性部材を突出部により位置決めする際
に、弾性部材をテーパ面上で滑らせて撓ませることができる。したがって、ムーブメント
に中枠を取り付ける際に、弾性部材の位置調整が容易に実施でき、作業効率を向上させる
ことができる。
【００１１】
そして、本発明の時計は、金属製のケースと、このケースの内部に収納されるとともに
、時刻を表示する時刻表示手段を有するムーブメントと、このムーブメントの外周部から
外径方向に突出する導通用の弾性部材と、前記ムーブメントの外周部を保持するとともに
、前記ムーブメントとともに前記ケースの内部に収納される中枠と、を備えた時計であっ
て、前記中枠は、前記ムーブメントを前記ケース内部に収納する際に、前記弾性部材が所
定撓み量で撓む状態に、前記弾性部材の突出方向を規制する弾性部材規制部を備えること
を特徴とする。
この発明によれば、上記発明と同様に、弾性部材を中枠の弾性部材規制部により、ケー
スへの装着時の撓み量が所定値となるように位置決めされている。したがって、ムーブメ
ントをケースに装着する際に、この所定撓み量だけ撓ませることで容易に弾性部材をケー
ス内周面に当接させることができ、組立作業の効率を向上させることができる。
【００１２】
または、本発明の時計では、前記ケースは、略筒状に形成され、前記ムーブメントは、
前記弾性部材を前記ケースの筒中心軸側に撓ませた状態で、前記ケースの筒内部に収納さ
れ、前記弾性部材の先端部は、先端側から基端側に向かって、前記ムーブメントを前記ケ
ースに収納する方向に傾斜するテーパ状に形成されることが好ましい。
この発明によれば、ムーブメントをケース内部に収納する際に、弾性部材の先端部のテ
ーパ面がケース内周部に当接するため、弾性部材の先端部をこのテーパ面に沿って移動さ
せることで、弾性部材を撓ませやすくなる。したがって、ムーブメントのケースに収納す
る際の作業効率を向上させることができる。また、上記したように、ケースにムーブメン
トを収納する際の弾性部材の撓み量が一定となるため、このテーパ面の距離寸法も短く設
定することができ、弾性部材の小型化を図ることができる。
【発明を実施するための最良の形態】
【００１３】
以下、本発明の一実施の形態に係る時計を図面に基づいて説明する。
図１は、本発明の一実施の形態の係る時計の概略を示す全体図である。
図２は、この時計を、ケース、ムーブメント、中枠に分解した際の分解斜視図である。
図３は、内径寸法が小さい胴部を備える時計において、弾性部材としての導通ばね近傍
を拡大した平面図である。
【００１４】
［時計の構成］
図１において、１は、時計であり、この時計１は、指針２１およびこれらの指針２１を
駆動させる駆動手段により構成される時刻表示手段を備えたムーブメント２０と、ムーブ
メント２０を保持する中枠３０と、中枠３０およびムーブメント２０を収納するケース１
０と、を備えている。
そして、ケース１０は、略筒状の胴部１１と、風防ガラス１２と、風防ガラス１２の周
縁部を保持する環状のガラス縁１３と、胴部１１の風防ガラス１２が設けられる側とは反
対側に設けられる裏蓋１４とを備えている。
【００１５】
ケース１０を構成する胴部１１は、例えばチタンやステンレスなどの金属により形成さ
れている。この胴部１１は、例えば三次元の切削・研磨加工により形成され、図示しない
ムーブメント固定部と、縁固定部１１１と、裏蓋固定部１１２とを有している。
ムーブメント固定部は、胴部１１とムーブメント２０とを同軸上に位置決めし、ムーブ
メント２０を固定する。縁固定部１１１は、風防ガラス１２を保持するガラス縁１３を胴
部１１に固定する。また裏蓋固定部１１２は、裏蓋１４を胴部１１に固定する。なお、こ
れら固定部におけるムーブメント２０、ガラス縁１３、および裏蓋１４の固定方法として
は、例えばねじ止めや接着固定など、各種固定方法を用いることができる。
また、ムーブメント固定部により固定されるムーブメント２０は、胴部１１の内周面に
対して所定寸法の隙間を開けて配設されている。
【００１６】
ムーブメント２０は、上記したように、指針２１と、この指針２１を駆動させる図示し
ない駆動機構と、文字板２２と、などを備えている。
駆動機構は、図示しない駆動輪列、ステップモータ、電子回路部、および電力を供給す
る電池などを備えている。このムーブメント２０では、電池により供給される電力を電子
回路部に供給し、電子回路部によりステップモータの駆動を制御して所定の駆動力を発生
させる。そして、この駆動力を、駆動輪列を介して指針２１に伝達させ、指針２１を所定
駆動間隔で駆動させる。なお、本実施形態の時計１は、電池の電力により指針２１を駆動
させる電子時計を例示するが、例えばゼンマイの駆動力により電力を発生させて調速を実
施する時計や、機械時計などであってもよい。
【００１７】
また、ムーブメント２０は、裏蓋１４側の少なくとも外周縁近傍に、上記した電池や、
電子回路部、ステップモータなどの各種電子部品におけるアース端子と導通するアース基
板２３を備えている。
このアース基板２３は、導電性の金属部材により形成されている。また、このアース基
板２３は、少なくとも一部がムーブメント２０の外周縁に沿う状態に設けられている。ま
た、アース基板２３は、ムーブメント２０に配置される各種電子部品の図示しないアース
端子と導通されている。
【００１８】
そして、アース基板２３は、ムーブメント２０の外周縁に沿って折曲形成されるばね形
成片２３１を備え、このばね形成片２３１には、ケース１０の胴部１１内周面に向かって
突出する弾性部材としての導通ばね２４が形成されている。
ここで、この導通ばね２４は、初期状態としてムーブメント２０の略接線方向に設定さ
れており（図３中、２点鎖線にて示す）、この状態から後述する中枠３０により、ムーブ
メント２０の接線に対して所定角度曲げられた位置決め状態（図３中１点鎖線にて示す状
態）に折り曲げられる。そして、この導通ばね２４は、ムーブメント２０を胴部１１に収
納する際に、この位置決め状態状態（図３中１点鎖線にて示す状態）から、所定の撓み量
α（例えば５０ｍｍ）だけ撓まされた状態に弾性変形されることで、ケース１０の胴部１
１の内周面に所定接触圧で接触している。
【００１９】
ここで、図４に基づいて、導通ばね２４の先端部の形状について説明する。図４は、導
通ばね２４の先端部の形状を示す図である。
図４において、導通ばね２４の先端部には、基端側から先端側に向かうに従って、風防
ガラス１２側から裏蓋１４側へと傾斜するテーパ部２４１が形成されている。このテーパ
部２４１は、ムーブメント２０を胴部１１に収納する際に、導通ばね２４の弾性変形を補
助する。すなわち、テーパ部２４１が胴部１１の内周面の端部に当接した状態で、ムーブ
メント２０を胴部１１の内部に押し込むと、テーパ面が胴部１１の内周面の端部により押
し込まれる。これにより、ムーブメント２０を押し込む軸方向の力を、導通ばね２４を撓
ませる径方向の力に変換することができ、容易に導通ばね２４をムーブメント２０側に撓
ませることが可能となる。
【００２０】
中枠３０は、略筒状に形成される合成樹脂製部材であり、例えば射出成形などにより成
形される。この中枠３０は、筒内周面によりムーブメント２０の外周面を保持した状態で
、ムーブメント２０および胴部１１の間に配設される。この時、中枠３０は、胴部１１の
内周面との間に所定寸法の隙間が設けられるように、外周形状が形成されている。
また、中枠３０は、ムーブメント２０の裏蓋１４に対向する押え片３１を有し、この押
え片３１には、図３に示すような弾性部材規制部としての突出部３２が一体形成されてい
る。この突出部３２は、胴部１１と対向する面に導通ばね２４が当接され、この導通ばね
２４を、ムーブメント２０の接線方向に対して所定角度だけ折曲させる位置で位置決めす
る。より具体的には、突出部３２は、ムーブメント２０を胴部１１に収納した際に、導通
ばね２４が胴部１１の内周面に押し込まれることで、所定の撓み量αだけ撓む状態に位置
決めする。
【００２１】
図５は、導通ばね近傍を拡大した断面図であり、（Ａ）は、ムーブメントに中枠を取り
付ける前を示す図、（Ｂ）は、ムーブメントに中枠が取り付けられた状態を示す図である
。
この突出部３２の先端部には、この図５に示すように、外径方向に向かうに従って、風
防ガラス１２側から裏蓋１４側に傾斜するテーパ面３３が形成されている。このようなテ
ーパ面３３を設けることで、中枠３０にムーブメント２０を装着する際に、テーパ面３３
のテーパに沿って導通ばね２４を径外方向に案内することができ、導通ばね２４の位置決
めが容易になる。
【００２２】
そして、中枠３０は、胴部１１に対向する周面において、突出部３２の形成部近傍が切
欠かれて、ばね挿通窓３４が形成されている。このばね挿通窓３４には、導通ばね２４が
挿通され、中枠３０の外周面から胴部１１側に導通ばね間の先端部が突出している。
【００２３】
［時計の組み立て方法］
次に、上述したような時計１において、ケース１０にムーブメント２０を装着して組み
立てる組み立て方法について説明する。
時計１の組み立てでは、先ず、ムーブメント２０に中枠３０を装着する。
ここで、胴部１１の内径寸法に応じて、突出部３２の形成位置、サイズ、胴部１１に対
向する面の傾斜角度などが異なる複数種類の中枠３０を予め準備する。
そして、これらの複数種類の中枠３０から、ムーブメント２０を胴部１１に装着する際
に導通ばね２４の撓み量が所定撓み量αとなるように、導通ばね２４を位置決め可能な突
出部３２を備えた中枠３０を選択する。例えば、図３に示すような内径寸法が小さい胴部
１１にムーブメント２０を装着する際には、導通ばね２４を、ムーブメント２０の接線方
向に対して小さい角度で傾斜する状態に位置決め可能な突出部３２を有する中枠３０を選
択する。一方、図６に示すように、内径寸法が大きい胴部１１にムーブメント２０を装着
する際には、導通ばね２４を、ムーブメント２０の接線方向に対して大きい角度で傾斜す
る状態に位置決めされた突出部３２を有する中枠３０を選択する。図６は、内径寸法が大
きい胴部を備える時計において、弾性部材としての導通ばね近傍を拡大した平面図である
。
【００２４】
また、中枠３０にムーブメント２０を装着する際には、図５（Ａ）に示すように、ムー
ブメント２０に固定される導通ばね２４の基端部が突出部３２のテーパ面３３に当接する
ように、ムーブメント２０および中枠３０を位置決めする。そして、中枠３０の内周部に
ムーブメント２０を押し込み、中枠３０にムーブメント２０を嵌合する。ここで、ムーブ
メント２０を中枠３０に押し込む応力により、導通ばね２４は、突出部３２のテーパ部に
沿って外径側に撓み、図５（Ｂ）に示すように突出部３２の胴部１１に対向する面に当接
して位置決めされる。
また、この時、導通ばね２４の先端は、ばね挿通窓３４から中枠３０の外周面より外径
側に所定寸法だけ突出した状態となる（図３および図６中の１点鎖線）。
【００２５】
また、ケース１０の胴部１１には、予め風防ガラス１２を装着したガラス縁１３を縁固
定部１１１に固定しておく。そして、この胴部１１に、中枠３０、および中枠３０に保持
されたムーブメント２０を、装着する。
この時、中枠３０のばね挿通窓３４から突出した導通ばね２４は、先端部のテーパ部２
４１で胴部１１の内周面の端部に当接する。そして、ムーブメント２０を胴部１１内部に
押し込むと、その応力により導通ばね２４のテーパ部２４１が胴部１１の内周面により押
圧され、導通ばね２４がムーブメント２０側に撓む。この時、導通ばね２４は、中枠３０
により、ムーブメント２０の挿入時の撓み量がαに設定されているため、一定の撓み量α
で撓み、胴部１１の内周面に一定の接触圧で接触する。
【００２６】
この後、胴部１１の裏蓋固定部１１２に裏蓋１４を固定することで、時計１の組み立て
が完了する。
【００２７】
ここで、図７に、導通ばね２４の撓み量と、接触圧との関係を示す。
なお、この図７では、導通ばね２４は、素材としてばね用ステンレス鋼帯（SUS301）、
板厚＝２０（１／１００ｍｍ）、ばね幅＝４０（１／１００ｍｍ）、ばね長さ＝２８６（
１／１００ｍｍ）の板ばねを用いた。また、ムーブメント２０の径寸法は、３１５０（１
／１００ｍｍ）とし、胴部１１の内径寸法が３２２０（１／１００ｍｍ）、３３２０（１
／１００ｍｍ）のケース１０を用いて、導通ばね２４の撓み量と接触圧とを測定した。ま
た、この図７は、中枠３０が設けられず、導通ばね２４は、径寸法が大きい胴部１１に対
応した位置に設定された従来の時計の測定結果である。
すなわち、従来の時計では、径寸法が大きい胴部１１にムーブメント２０を装着する場
合、導通ばね２４は、比較的適切な接触圧（５０〜１００ｇ）を示し、撓み量も小さいた
め、導通ばね２４のヘタリも小さくなる。しかしながら、この導通ばね２４を備えるムー
ブメントを内径寸法が小さい胴部１１に挿入すると、導通ばね２４の撓み量が大きくなり
、接触圧も大きく（１２０〜１４０ｇ）なる。したがって、導通ばね２４の撓ませる力も
、接触圧と同様に増大するため、ムーブメント２０を胴部１１に挿入する組立作業が困難
となる。また、導通ばね２４の撓み量が大きくなると、ヘタリも大きくなり、導通ばね２
４の寿命が短くなったり、組み立て中に導通ばねが変形してしまったりするなどの不都合
もある。さらには、このようなヘタリが生じた導通ばね２４をより内径の大きい胴部１１
に案内すると、導通に必要な接触圧が確保できないという問題もある。
これに対して、本実施の形態の時計１では、中枠３０により導通ばね２４の撓み量が一
定値α（例えば、本実施の形態では、撓み量α＝５０）に設定されている。すなわち、図
７において、胴部１１の内径寸法の値にかかわらず、導通ばね２４の接触圧およびヘタリ
量は、点Ｐの接触圧（約６０ｇ）、および点Ｑのヘタリ量となる。したがって、ムーブメ
ント２０の胴部１１への挿入時に、導通ばね２４を撓ませるために要する応力も一定値と
なる。すなわち、ムーブメント２０のアースが十分に可能な接触圧となるように撓み量α
を設定することで、胴部１１のサイズにかかわらず容易にムーブメント２０を挿入するこ
とが可能となる。また、導通ばね２４を撓ませる量が減るため、ヘタリもなくなり、導通
ばねの長寿命化にも貢献できる。
【００２８】
［本実施の形態の作用効果］
上述したように、上記実施の形態の時計１では、中枠３０は、ムーブメント２０を胴部
１１に挿入した際に導通ばね２４の撓み量が所定撓み量αとなるように、導通ばね２４を
位置決めする突出部３２を備えている。
このため、胴部１１の内径寸法に応じて適切な中枠３０を選択することで、ムーブメン
ト２０の装着時の導通ばね２４の一定の撓み量αにすることができる。このとき、ムーブ
メント２０のアースが十分に可能な接触圧となる値となるように撓み量αを設定すること
で、胴部１１の径寸法と関係なく、小さい力でムーブメント２０を胴部１１に収納するこ
とができる。したがって、時計１の組立作業における作業負荷を軽減させることができ、
作業効率を向上させることができる。
また、導通ばね２４の撓み量が小さくなるため、撓みによるばねのヘタリをも防止する
ことができる。したがって、導通ばね２４の長寿命化を図ることができ、良好な品質の時
計１を提供することができる。
【００２９】
また、弾性部材規制部として、中枠３０の押え片３１から突出する突出部３２を用いて
いる。このような突出部３２は、例えば中枠３０を射出成形にて形成する際に、突出部３
２に対応する形状を有するキャビティの金型を用いることで容易に一体成形することがで
きる。したがって、例えば突出部材を中枠３０に固定するなどの煩雑な作業や、複雑な構
成が不要となり、簡単な構成で容易に導通ばね２４を所定位置に位置決めすることができ
る。
【００３０】
さらに、この突出部３２の先端部には、テーパ面３３が形成されている。
このため、ムーブメント２０に中枠３０を取り付ける際に、導通ばね２４をこのテーパ
部２４１に沿って撓ませることができる。したがって、導通ばね２４の位置決め作業も容
易に実施でき、作業効率を向上させることができる。
【００３１】
そして、導通ばね２４の先端部には、テーパ部２４１が形成されている。このため、胴
部１１にムーブメント２０を収納する際に、テーパ部２４１に沿って導通ばね２４を撓ま
せることができ、ムーブメント２０の装着が容易になる。したがって、作業効率性をより
向上させることができる。
また、胴部１１の径寸法によらず、導通ばね２４の撓み量が一定値αとなるように設定
しているので、ムーブメント２０の挿入時に、胴部１１の内周面の端部と最初に接触する
位置も略同一となる。すなわち、胴部１１の内径寸法に応じて、導通ばねの撓み量が異な
る構成では、例えば図４における破線にて示されるように、内径寸法が大きい胴部１１お
よび内径寸法が小さい胴部１１に対応してテーパ部２４１を大きくする必要がある。また
、このようなテーパ部２４１は、テーパ部２４１が設けられていない部分より剛性が大き
くなる。したがって、ばねの全長に対してテーパ部２４１が長くなると、弾性変形するば
ね部が短くなり、このばね部に過度の応力が加わるため、ヘタリが生じやすくなる。これ
に対して、上記実施の形態では、テーパ部２４１を小さくできるので、ばね部の長さが長
くなり、ヘタリが生じにくくなる。したがって、導通ばね２４の長寿命化を図れ、接触圧
が低下するなどの不都合をも防止することができる。
【００３２】
［他の実施の形態］
なお、本発明は前述の実施形態に限定されるものではなく、本発明の目的を達成できる
範囲での変形、改良等は本発明に含まれるものである。
【００３３】
例えば、上記実施の形態では、導通ばね２４にテーパ部２４１を設ける構成を示したが
、例えばテーパ部２４１が設けられない構成などとしてもよい。
【００３４】
また、中枠３０の押え片３１から、突出部３２を設ける構成としたが、導通ばね２４の
撓み量を一定値αにする構成であれば特に限定されず、例えば中枠３０にばね位置決め部
材を別途設ける構成などとしてもよい。
【００３５】
さらに、突出部３２にテーパ面を形成し、テーパ面に沿って導通ばね２４を案内する構
成を示したが、例えばテーパ面が形成されない構成などとしてよい。この場合、導通ばね
２４を突出部３２の外径側に押し込む治具などを用いて、導通ばね２４の位置決めを実施
してもよい。
【００３６】
そして、ムーブメント２０の周面における裏蓋１４側に導通ばね２４が設けられる構成
を示したが、例えば文字板２２に対向する面に導通ばね２４が設けられる構成などとして
もよい。
【００３７】
また、中枠３０の周面を切り欠いて、導通ばね２４を挿通させるばね挿通窓３４を形成
する例を示したが、例えば中枠３０の周面における導通ばね２４の挿通箇所のみに孔部を
設ける構成などとしてもよい。
【００３８】
さらに、上記実施の形態において、導通ばね２４を突出部３２により径外方向に押し出
して、ムーブメント２０を胴部１１に収納した際に撓み量がαとなる位置に位置決めする
構成を示したが、これに限らない。例えば、初期状態において、径外方向に突出する導通
ばねを突出部３２によりムーブメント２０の内径側に押し込み、ムーブメント２０を胴部
１１に収納した際に撓み量がαとなるように位置決めする構成としてもよい。この場合、
突出部３２に形成されるテーパ面を反対側、すなわち、突出部３２の突出先端に向かうに
従って内径側から外径側に傾斜するテーパ面を形成することで、ムーブメント２０に中枠
３０を設置する際、導通ばね２４をテーパ面に沿って撓ませることができ、設置作業が容
易になる。
【００３９】
その他、本発明の実施の際の具体的な構造および手順は、本発明の目的を達成できる範
囲で他の構造などに適宜変更できる。
【図面の簡単な説明】
【００４０】
【図１】本発明の一実施の形態の係る時計の概略を示す全体図である。
【図２】前記実施の形態の時計を、ケース、ムーブメント、中枠に分解した際の分解斜視図である。
【図３】内径寸法が小さい胴部を備える時計において、弾性部材としての導通ばね近傍を拡大した平面図である。
【図４】前記実施の形態の時計において、導通ばねの先端部の形状を示す図である。
【図５】前記実施の形態の時計において、導通ばね近傍を拡大した断面図であり、（Ａ）は、ムーブメントに中枠を取り付ける前を示す図、（Ｂ）は、ムーブメントに中枠が取り付けられた状態を示す図である。
【図６】内径寸法が大きい胴部を備える時計において、弾性部材としての導通ばね近傍を拡大した平面図である。
【図７】導通ばねの撓み量と、接触圧との関係を示す図である。
【符号の説明】
【００４１】
１…時計、１０…ケース、１１…胴部、２０…ムーブメント、２４…弾性部材としての
導通ばね、２４１…テーパ部、３０…中枠、３２…弾性部材規制部としての突出部、３３
…テーパ面。
【図１】
0005104498.tif 000002
【図２】
0005104498.tif 000003
【図３】
0005104498.tif 000004
【図４】
0005104498.tif 000005
【図５】
0005104498.tif 000006
【図６】
0005104498.tif 000007
【図７】
0005104498.tif 000008